(57)【要約】【課題】身体の各部の指圧を行う際に、指圧対象部位がどこであってもその方向を向けることが可能であり、更にその位置に於ける高さ及びその部位に対する角度を自在に調節して当該の指圧対象部位を適切に指圧すべく指圧装置に取り付け可能であること。【解決手段】指圧対象者の被指圧部位に圧接する交換可能な指圧用先端部材２と、指圧用先端部材２をその先端に取り付ける圧力調整部材３と、圧力調整部材３の後端に接続するシリンダロッド４と、シリンダロッド４を備えたエアシリンダ５と、エアシリンダ５に結合する取付手段６であって、Ｌ型に結合する取付板部６ａ及びシリンダ固定板部６ｂからなる取付手段６と、取付手段６の取付板部６ａを、その取付位置及び取付角度の観点で、種々の態様で結合可能である連結板部７と、連結板部７に構成した、取付用ボルト部材１０への結合手段である結合突起８、８及びナット部材９、９とで構成する。【選択図】  図１
2010029492.tif 000002
【特許請求の範囲】
【請求項１】
被指圧部位に圧接する交換可能な指圧用先端部材と、
該指圧用先端部材をその先端に取り付ける圧力調整部材であって、該指圧用先端部材を被指圧部位に圧接した場合にその押圧力が所定圧力に至るとそれ以上に上昇しないように調節すべく短縮するようになっている圧力調整部材と、
該圧力調整部材の後端に接続するシリンダロッドと、
該シリンダロッドを備えたエアシリンダと、
該エアシリンダに接続する取付手段と、
該取付手段を、回転自在かつその長さ方向に沿って移動自在、並びにそのいずれかの状態で結合固定可能であるように構成した連結板部と、
該連結板部に配した自在結合手段であって、長尺取付部材にその周りに回転自在かつその長さ方向に沿って移動自在、並びにいずれかの状態で結合固定可能であるように構成した自在結合手段と、
で構成した指圧用押圧機。
【請求項２】
前記取付手段を、取付穴を有する取付板部とその端部から直角に連続する貫通孔を備えたシリンダ固定板部と、該取付穴にシリンダ固定板部側から挿入して固定したボルト及び該ボルトに螺合しうるナットとで構成し、
前記連結板部を、長さ方向に沿って係止用スリットを備えた短冊状連結板であって、その対応する面にその係止用スリットと前記取付穴とを一致させて前記取付板部を当接させルと共に、該取付穴に挿入固定したボルトを該係止用スリットに貫通させ、他方側から該ボルトに前記ナットを螺合して、前記取付手段を固定し得るようにした短冊状連結板に構成し、
前記自在結合手段を、該短冊状連結板の一端側にその長さ方向に沿って並設し、かつその長さ方向と直交する方向に突出させた二つの結合突起であって、その間の間隔を前記長尺取付部材を構成する取付用ボルト部材の径を越える寸法とした二つの結合突起と、該二つの結合突起間に挿入した取付用ボルト部材に該二つの結合突起の両側から螺合してその間への該取付用ボルト部材の挿入状態を固定し得るようにした二つのナット部材とで構成した請求項１の指圧用押圧機。
【請求項３】
前後の脚体、該両脚体の上部間を連結する中央フレーム部材及び該両脚体の下部間を連結する補強フレーム部材から成る装置本体と、
該中央フレーム部材の両側に突出させた各一対のアーム部材であって、それぞれ伸縮自在に構成した各一対のアーム部材と、
両側の各一対のアーム部材の先端間に、各アーム部材の先端に配した角度調整手段を介して接続した長尺取付部材と、
該長尺取付部材の複数の部位に前記自在結合手段により取り付けた複数の請求項１の指圧用押圧機と、
で構成した指圧装置。
【請求項４】
前後の脚体、該両脚体の上部間を連結する一対のガイドレール及び該両脚体の下部間を連結する補強フレーム部材から成る装置本体と、
前記一対のガイドレールに、これらにスライド移動自在に配した複数のスライダを介して取り付けた支持腕部材であって、起伏自在に構成した支持腕部材と、
該支持腕部材の両側下部に配した二本の腕用レール部材と、
該二本の腕用レール部材にこられに沿って移動自在に配した各スライダを介して垂下させた二つの伸縮手段と、
該二つの伸縮手段で両端部フレームの各々を吊り下げた四辺形のフレーム部材と、
該四辺形のフレーム部材の両端部フレームで支持した複数の長尺取付部材と、
該複数の長尺取付部材のそれぞれ複数の部位に前記自在結合手段により取り付けた複数の請求項１の指圧用押圧機と、
で構成した指圧装置。
【請求項５】
前記長尺取付部材を、連続する複数の被指圧部位の位置する部位の外形に対応する形状に屈曲した取付用ボルト部材で構成し、
前記複数の請求項１の指圧用押圧機を、それらの各一対の結合突起の間に前記取付用ボルト部材を挿入状態にすると共に、予め該取付用ボルト部材に螺合して置いた必要対のナット部材の各一対のそれで該一対の結合突起の両側を締め付けて、取付固定することにした請求項３又は４の指圧装置。
【発明の詳細な説明】
【技術分野】
【０００１】
本発明は、指圧装置を用いて身体の各部の指圧を行う際に、当該の身体の指圧対象部位がどこであれ、その向き、高さ及び角度を自在に調節して当該の指圧対象部位を適切に指圧すべく該指圧装置に取り付け可能である単位部材である指圧用押圧機及びこれをそのように用いて身体の一定の範囲を一度に指圧操作することができる指圧装置に関するものである。
【背景技術】
【０００２】
指圧は主として直接に人の掌や指先を利用して行われ、これによって身体の各部の状態に応じた微妙な対応が可能になる等の利点は多いが、職業的に多人数の指圧を繰り返して行う場合には、指圧を行う人に疲れが生じ、必ずしも良い指圧動作を行い続けることができるとは限らなくなっている。このような場合に、指圧装置を用いて指圧を行うことが望まれるが、人の身体は千差万別であり、各部の形状は個々に異なっており、それに対応して適切な向きで適切な圧力の指圧を行うことは困難である。それ故、そのような指圧装置では、人の身体の各指圧対象部位に適切な方向から適切な圧力で指圧を行うことができるとは云えないのが現状である。
【０００３】
この種の装置の提案例には、例えば、人がその下に入ることができるフレームと、該フレームに背骨方向及び左右方向に移動自在に配した指圧子とで構成し、該指圧子を、シリンダにより昇降自在に動作するように構成した指圧器（特許文献１）がある。
【０００４】
この特許文献１の指圧器によれば、例えば、人が前記フレームの下に入って俯せになり、これを動作させると、指圧子で、背骨に沿った指圧動作又は背骨を中心に左右に少しずつ動かして指圧動作をさせるようなことが可能となる。またその圧力も種々に変更可能である。しかし指圧子は、個々の人の体形に応じて、その向きを変えるとか、可動範囲以外の位置に位置させるとかの自由な設定を行うことが全くできない。従ってその指圧動作は人が行うような微妙な対応が困難なものであるといわざるを得ない。
【０００５】
また他には、前進時に先端で人体の経穴等の局所を押圧する押圧部材と、これを前進では緩やかに、後退では急速に動作させる前進及び後退駆動源と、このような前進及び後退駆動源を備えた押圧部材を下方に備えたマット台とからなり、該マット台は、前記押圧部材を下方で前後左右に移動可能であるように配置し、更に人体の身長データに基づいて該押圧部材を前後左右に適切に動かして、その上に横臥する人の経穴等を適切に押圧することができるように構成したベッド式指圧装置（特許文献２）である。
【０００６】
この特許文献２のベッド式指圧装置によれば、その上に横臥した人の背中の経穴等の局所を指圧するに際して、身長から考えられる適切な位置の押圧が可能であり、かつその際に、前進は緩やかに後退を急速に行うことができるため、血液やリンパ液の流れを一層良好にできる利点があることは認められる。
【０００７】
しかしながら、この特許文献２のベッド式指圧装置に於いては、取り付けられる押圧部材は、その移動範囲が指圧対象者の身長に応じて適切な範囲に制御されるが、人は、身長が同一であれば、全て同一なのではなく、身体的特徴には大きな差があり、個々人に合わせて押圧部材の向きや高さを変えないと、適切に指圧を行うことができない。この点の配慮がこの特許文献２のベッド式指圧装置には全く欠けている。
【０００８】
【特許文献１】特開平０５―１６１６９０号公報
【特許文献２】特開平１０−１０８８９２号公報
【発明の開示】
【発明が解決しようとする課題】
【０００９】
本発明は、指圧装置を用いて身体の各部の指圧を行う際に、当該の身体の指圧対象部位がどこであっても、その方向を向けることが可能であり、更にその位置に於ける高さ及びその部位に対する角度を自在に調節して当該の指圧対象部位を適切に指圧すべく指圧装置に取り付け可能である単位機器である指圧用押圧機及びこれを用いて身体の複数箇所を効率良く指圧操作することが可能な指圧装置を提供することを解決の課題とする。
【課題を解決するための手段】
【００１０】
本発明の１は、被指圧部位に圧接する交換可能な指圧用先端部材と、
該指圧用先端部材をその先端に取り付ける圧力調整部材であって、該指圧用先端部材を被指圧部位に圧接した場合にその押圧力が所定圧力に至るとそれ以上に上昇しないように調節すべく短縮するようになっている圧力調整部材と、
該圧力調整部材の後端に接続するシリンダロッドと、
該シリンダロッドを備えたエアシリンダと、
該エアシリンダに接続する取付手段と、
該取付手段を、回転自在かつその長さ方向に沿って移動自在、並びにそのいずれかの状態で結合固定可能であるように構成した連結板部と、
該連結板部に配した自在結合手段であって、長尺取付部材にその周りに回転自在かつその長さ方向に沿って移動自在、並びにいずれかの状態で結合固定可能であるように構成した自在結合手段と、
で構成した指圧用押圧機である。
【００１１】
本発明の２は、本発明の１の指圧用押圧機に於いて、前記取付手段を、取付穴を有する取付板部とその端部から直角に連続する貫通孔を備えたシリンダ固定板部と、該取付穴にシリンダ固定板部側から挿入して固定したボルト及び該ボルトに螺合しうるナットとで構成し、
前記連結板部を、長さ方向に沿って係止用スリットを備えた短冊状連結板であって、その対応する面にその係止用スリットと前記取付穴とを一致させて前記取付板部を当接させルと共に、該取付穴に挿入固定したボルトを該係止用スリットに貫通させ、他方側から該ボルトに前記ナットを螺合して、前記取付手段を固定し得るようにした短冊状連結板に構成し、
前記自在結合手段を、該短冊状連結板の一端側にその長さ方向に沿って並設し、かつその長さ方向と直交する方向に突出させた二つの結合突起であって、その間の間隔を前記長尺取付部材を構成する取付用ボルト部材の径を越える寸法とした二つの結合突起と、該二つの結合突起間に挿入した取付用ボルト部材に該二つの結合突起の両側から螺合してその間への該取付用ボルト部材の挿入状態を固定し得るようにした二つのナット部材とで構成したものである。
【００１２】
本発明の３は、前後の脚体、該両脚体の上部間を連結する中央フレーム部材及び該両脚体の下部間を連結する補強フレーム部材から成る装置本体と、
該中央フレーム部材の両側に突出させた各一対のアーム部材であって、それぞれ伸縮自在に構成した各一対のアーム部材と、
両側の各一対のアーム部材の先端間に、各アーム部材の先端に配した角度調整手段を介して接続した長尺取付部材と、
該長尺取付部材の複数の部位に前記自在結合手段により取り付けた複数の請求項１の指圧用押圧機と、
で構成した指圧装置である。
【００１３】
本発明の４は、前後の脚体、該両脚体の上部間を連結する一対のガイドレール及び該両脚体の下部間を連結する補強フレーム部材から成る装置本体と、
前記一対のガイドレールに、これらにスライド移動自在に配した複数のスライダを介して取り付けた支持腕部材であって、起伏自在に構成した支持腕部材と、
該支持腕部材の両側下部に配した二本の腕用レール部材と、
該二本の腕用レール部材にこられに沿って移動自在に配した各スライダを介して垂下させた二つの伸縮手段と、
該二つの伸縮手段で両端部フレームの各々を吊り下げた四辺形のフレーム部材と、
該四辺形のフレーム部材の両端部フレームで支持した複数の長尺取付部材と、
該複数の長尺取付部材のそれぞれ複数の部位に前記自在結合手段により取り付けた複数の請求項１の指圧用押圧機と、
で構成した指圧装置である。
【００１４】
本発明の５は、本発明の３又は４の指圧装置に於いて、前記長尺取付部材を、連続する複数の被指圧部位の位置する部位の外形に対応する形状に屈曲した取付用ボルト部材で構成し、
前記複数の請求項１の指圧用押圧機を、それらの各一対の結合突起の間に前記取付用ボルト部材を挿入状態にすると共に、予め該取付用ボルト部材に螺合して置いた必要対のナット部材の各一対のそれで該一対の結合突起の両側を締め付けて、取付固定することにしたものである。
【発明の効果】
【００１５】
本発明の１の指圧用押圧機によれば、これを指圧装置に取り付けて使用するものとすれば、身体の所定の部位への指圧動作の際に、その加圧力を適切な範囲に維持可能であり、良好な健康増進効果を発揮することが可能である。また如何なる場合にも過剰な押圧力で加圧することもないので、無用にその部位を痛めてしまうような虞もない。
【００１６】
またこの指圧用押圧機は、指圧用先端部材を進退動作させるエアシリンダを、取付手段、連結板部及び連結板部に構成した自在結合手段を介して長尺取付部材に取り付けるように構成したものであり、取付手段は連結板部に回転自在かつその長さ方向に沿って移動自在に取り付け固定可能に構成してあり、連結板部は自在結合手段を介して長尺取付部材にその周りに回転可能かつその長さ方向に沿って移動自在、並びに固定可能に構成してあるため、長尺取付部材を介して指圧装置に取り付ける際に、その向きを指圧対象者の該当部位に向けたり、該当部位からの高さを適切に設定したり、或いは、角度を変えたりすることが自由に行いうるものである。前記長尺取付部材を、例えば、指圧対象者の曲線上に位置に連続して位置する指圧対象部位の該曲線形状に対応して構成しておけば、該長尺取付部材に複数の指圧用押圧機を取り付けた場合、自ずと該曲線上に位置する該指圧対象者の該当指圧対象部位の上部に個々のそれが位置することとなるものでもある。例えば、肩甲骨に沿った形状に前記長尺取付部材の屈曲して置くなどである。
【００１７】
なお、前記エアシリンダは、これを、制御手段によって、その伸長動作はゆっくりと行い、短縮動作は瞬間的に行うように制御するのが好ましい。勿論メカニズム的にもそれが可能なように構成しておく。またその際の押圧力も指圧用先端部材から身体に加わる全体のそれが２ｋｇを越えない程度の比較的弱いものとしておく。このようにしておくことにより、これによる指圧では、弱い加圧力で指圧用先端部材により筋肉の硬化した部位を押圧して置いて、瞬間的に該指圧用先端部材を後退させる、即ち、瞬間的に押圧を止めるという動作を繰り返すことにより、硬化した筋肉を少しずつ柔らかくし、これによって筋肉の組織に栄養と酸素を送り込みやすい条件を整えると、血液の流れが良好になり痛みが軽減し可動域が増して動きが悪かった関節も動きやすくなってくるものである。
【００１８】
また前記指圧用先端部材は、交換可能とするのが適当であり、このようにしておくことにより、指圧対象部位の指圧をより適切に行うことができる。また指圧用先端部材がその形状との関係で一定の向きで指圧対象部位に当接するようにする必要がある場合は、シリンダロッドに回転しない角形のそれを用いることとするべきである。
【００１９】
本発明の２の指圧用押圧機によれば、これを前記長尺取付部材に取り付ける際に、前記のように、その指圧対象部位への向き、これに対する角度、これからの高さ等を自由に設定し、固定することが可能であるが、そのような取付手段、連結板部及び自在結合手段を帯状の金属部材、ボルト及びナット、並びにナット部材で容易に構成することが可能である。
【００２０】
本発明の３の指圧装置によれば、装置本体の下方に可動ベッドを配し、その上に指圧対象者が、例えば、俯せになれば、その者の身体の側方からの複数の部位の指圧を適切に行うことができる。指圧用押圧機は、長尺取付部材に、指圧対象者の身体の該当部位の形状に対応する種々の向き、角度及び高さで取り付け可能であり、更に長尺取付部材それ自体を、指圧対象者の身体の該当部位の形状に対応した形状に屈曲させておけば、指圧用押圧機を単に取り付けるだけでもその向きや高さがかなり適合した状態になる。従っていずれにしてもより適切な指圧が行われることになる。また、アーム部材の長さを必要に応じて調整した場合等には、前記角度調整手段を調整することにより、変化した条件に適合するように、長尺取付部材に取り付けた複数の指圧用押圧機を一度に必要な角度に調整することができる。こうして簡単に身体の別な位置の指圧に適合するように調整することができる。
【００２１】
本発明の４の指圧装置によれば、装置本体の下方に可動ベッドを配し、その上に指圧対象者を載せて俯せにさせれば、その背中の肩甲骨周辺や背骨に沿った付近等の指圧を一度に行うことが可能である。概括的には、可動ベッドを昇降させ、或いは前後左右に動かして位置決めし、更に支持腕部材を動かし、伸縮手段を伸縮させることで適切な指圧のための位置決めを行うことができる。より詳細な微妙な位置決めは、前記した本発明の３の指圧装置と同様に、長尺取付部材を適切に屈曲させておくことや指圧用押圧機の取り付け方によって行うことができる。
【００２２】
本発明の５の指圧装置によれば、前記長尺取付部材を取付用ボルト部材で構成し、指圧用押圧機のこれへの結合の際には、自在結合手段を構成する二つの結合突起の間に該取付用ボルト部材を挿入状態にし、予め該取付用ボルト部材に螺合してあった二つのナット部材を該二つの結合突起の両側から締め付けることにより、容易にその状態を固定することができる。
【００２３】
取付用ボルト部材の二つの結合突起への挿入状態を深くしたり、浅くしたり、該二つの結合突起の該取付用ボルト部材周りの角度を自由に変更することもできる。そうした上で、以上のように、ナット部材を結合突起の両側に締め付けてその状態を固定することができるわけである。
【発明を実施するための最良の形態】
【００２４】
発明を実施するための最良の形態を図面を参照しながら実施例に基づいて説明する。
この実施例の指圧用押圧機１は、図１〜図４に示すように、基本的に、指圧対象者の被指圧部位に圧接する交換可能な指圧用先端部材２と、該指圧用先端部材２をその先端に取り付ける圧力調整部材３と、該圧力調整部材３の後端に接続するシリンダロッド４と、該シリンダロッド４を備えたエアシリンダ５と、該エアシリンダ５に結合する取付手段６と、該取付手段６を種々の態様で結合固定可能である連結板部７と、該連結板部７に構成した二つの結合突起８、８及び二つのナット部材９、９（自在結合手段）と、で構成したものである。
【００２５】
前記指圧用先端部材２は、この実施例では、図１(a)に示すように、最下部の当接部材２ａとその若干上方のストッパ部２ｂとストッパ部２ｂの中央から延長する連結シャフト部２ｃとで構成したものである。
【００２６】
該当接部材２ａは、同図に示すように、下方に向かって径が大きくなる円柱形を基本とし、その下端を下方に膨らむ部分球形膨出部に形成したものである。該ストッパ部２ｂは、同図に示すように、該当接部材２ａの上端中央から突出して上方に延びる円柱状部の上端に形成した円形鍔状部分であり、これは、指圧動作の際に該当接部材２ａに所定圧、この実施例では、２ｋｇに達する加圧力が掛かった場合に、前記圧力調整部材３の作用により前記連結シャフト２ｃが該圧力調整部材３中に進入することになるが、その進入を最終的にその部位までに規制する作用を果たすものである。前記連結シャフト２ｃは、同図に示すように、前記ストッパ部２ｂの中央部に埋め込み、上方に延長した金属棒であり、その周側には長さ方向に沿って、後述する前記圧力調整部材３への進入範囲を限定する作用を果たす規制溝２ｃｇが形成してある。
【００２７】
前記圧力調整部材３は、特に図１(b)に示すように、上部に前記シリンダロッド４の下部の雄ねじ部４ａと螺合する雌ねじ部３ａｍを備え、それより下方に前記連結シャフト２ｃを進退自在に進入させる進退空間３ａｋを備えた円柱状本体３ａと、該進退空間３ａｋの上端と該進退空間３ａｋに挿入した連結シャフト２ｃの上端との間に装入した圧縮バネ３ａｂと、前記円柱状本体３ａの下部周側に螺合した規制ネジ３ａｎであって、その進退空間３ａｋに上端を挿入した連結シャフト２ｃの規制溝２ｃｇにその先端を挿入して、該連結シャフト２ｃの進退動作範囲を規制する規制ネジ３ａｎとで構成したものである。
【００２８】
該圧力調整部材３は、所定圧力、この実施例では、２ｋｇの押し込み方向の圧力が連結シャフト２ｃに掛かると、該連結シャフト２ｃが前記進退空間３ａｋ内に進入し、該連結シャフト２ｃにそれ以上の加圧力が掛からないようになっている。前記圧縮バネ３ａｂとして２ｋｇの加圧力で圧縮するものを採用したものである。連結シャフト２ｃの規制溝２ｃｇは、このとき、該連結シャフト２ｃの進退空間３ａｋへの進入深さ及び退出長さを規制ネジ３ａｎと共に規制する。
【００２９】
前記シリンダロッド４は、前記したように、下端に雄ねじ部４ａを形成してあり、前記圧力調整部材３との結合は、該雄ねじ部４ａを、前記のように、雌ねじ部３ａｍにねじ込むことで行うようになっている。また、云うまでもなく、このシリンダロッド４は、前記エアシリンダ５の一つの構成要素である。該エアシリンダ５は、図１(a)に示すように、その上端及び下端にエア接続部５ａ、５ｂが構成してあり、それぞれにエア供給部に直接間接に接続するエアホースが接続するようになっている。エア供給手段は、制御手段によって、後記所定の動作をするように制御されるようになっている。エア供給手段及び制御手段はそれぞれ公知のそれである。
【００３０】
前記取付手段６は、図１(a)及び図３(a)〜(e)に示すように、この実施例では、一枚の金属板材を折曲して構成したものであり、取付穴６ａｈを有する取付板部６ａとその端部から直角に連続する、貫通孔６ｂｈを備えたシリンダ固定板部６ｂと、ボルトｂ及びナットｎとで構成したものである。該ボルトｂは、同図に示すように、この実施例では、取付穴６ａｈに貫通状態で溶接固定したものであり、図１(a)及び図４(a)、(b)、(c)に示すように、該取付手段６の前記連結板部７への取り付けの際に、該連結板部７の後記係止用スリット７ｓに貫通させ、反対側に突出した部位に前記ナットｎを螺合し、締め付けて固定するために使用するものである。
【００３１】
前記連結板部７は、図１(a)及び図２(a)〜(h)に示すように、この実施例では、一枚の短冊状の金属部材を加工して構成したものであり、該短冊状の金属部材の中央に長さ方向に沿って係止用スリット７ｓを開口し、短冊状連結板に構成したものである。該係止用スリット７ｓは、前記ボルトｂを貫通させることのできる幅に構成し、長さは連結板部７の全長を僅かに下回る程度とする。
【００３２】
前記結合突起８、８は、図１(a)、図２(a)〜(h)及び図４(a)、(b)、(c)に示すように、短冊状連結板である連結板部７の一端側にその長さ方向に沿って並設したものである。該結合突起８、８は該連結板部７と一体に構成する。二つの結合突起８、８の間隔は、取付対象である取付用ボルト部材１０の外径を僅かに越える寸法とし、その突出寸法は、種々の態様での取付用ボルト部材１０への取り付けの都合からその径の５倍以上程度とする。
【００３３】
該結合突起８、８は、前記自在結合手段の一部を構成する要素であり、他の要素は、前記のように、ナット部材９、９である。このナット部材９、９は、図１(a)、図２(i)及び図４(a)、(b)、(c)に示すように、前記取付用ボルト部材１０に螺合可能な雌ねじを備えたものであり、該取付用ボルト部材１０をその間に挿入した該結合突起８、８を両側から挟んで該結合突起８、８と該取付用ボルト部材１０との結合状態を固定すべく締め付け可能なサイズに構成したものとする。
【００３４】
また前記取付用ボルト部材１０は、図１(a)、図２(i)及び図４(a)、(b)に示すように、長尺のボルト部材であり、前記のように、前記自在結合手段の一部を構成するナット部材９、９が螺合可能な径及びピッチの雄ねじが形成されているものである。この取付用ボルト部材１０は、後述するように、指圧対象者の複数の要指圧部位を含む一定の範囲の部位の外形に対応するように屈曲して使用することもあるものである。通常、前記自在結合手段の一部を構成する複数対のナット部材９、９…を予め螺合して置くものとする。
【００３５】
従ってこの実施例の指圧用押圧機１は、必要数のそれをその取付手段６、連結板部７、結合突起８、８及びナット部材９、９を用いて取付用ボルト部材１０に取り付け、これを介して種々の指圧装置に取り付けて有用に使用することができる。なお、指圧用押圧機１は、通常は、取付用ボルト部材１０を指圧装置の所定の部位に取り付けた上で、その取付用ボルト部材１０に取り付けるようにするのが、取付作業上も都合がよい。
【００３６】
この実施例の指圧用押圧機１は、取付用ボルト部材１０に自由に種々の態様で取り付けることができる。
まず指圧用押圧機１を構成するシリンダ５は、図１(a)に示すように、取付手段６のシリンダ固定板部６ｂの貫通孔６ｂｈにその下端の突出円筒部を挿入し、下方から該突出円筒部の外周に形成してある雄ねじに固定ナットＮを螺合し締め付けて、該シリンダ５と取付手段のシリンダ固定板部６ｂとを結合固定する。
【００３７】
この後、図１(a)に示すように、シリンダ５を取付手段６を介して連結板部７に取り付ける。該シリンダ５は、取付手段６を介することにより、該連結手段７に自由な位置関係（その高さ）及び自由な角度で取り付けることができる。
【００３８】
図４(b)、(c)に示すように、取付手段６の取付板部６ａは、これを連結板部７に接合させ、このとき、前者の取付穴６ａｈに挿入固定したボルトｂを後者の係止用スリット７ｓのいずれかの部分に挿入し、該連結板部７の裏面側から該ボルトｂにナットｎを螺合し、締め付ければ、その接合状態を固定することができる。ナットｎを緩めれば、図４(b)中矢印ａ１に示すように、取付手段６の取付板部６ａは、該連結板部７上を上下に動かすことが可能になり、また同図中矢印ａ２に示すように、回転方向に動かし、自由な角度に傾けることも可能である。再度ナットｎを締め付ければ、取付板部６ａは、以上のように設定した高さ及び角度で連結板部７に固定することができる。作図上の都合で、同図には、シリンダ５等は描かれていないが、先に述べたように、取付手段６には、シリンダ５が固設してあるものであり、以上の関係から、シリンダ５の高さ及び角度が自由に設定できることが分かる。
【００３９】
また図１(a)及び図４(a)、(b)、(c)に示すように、前記連結板部７は、その一端側部に構成した結合突起８、８及びナット部材９、９により、前記取付用ボルト部材１０に、その自由な位置で、またその軸周りの自由な角度で、更には該取付用ボルト部材１０から前記結合突起８、８の長さ内の一定範囲内の自由な距離で、取り付けることができる。
【００４０】
該連結板部７は、図４(a)、(b)、(c)に示すように、その結合突起８、８の間に取付用ボルト部材１０の所望の位置を挿入状態とし、その両側にナット部材９、９を締め付けてその状態で固定することができるものである。
【００４１】
該連結板部７は、取付用ボルト部材１０の長さ方向の自由な位置に取り付けることができる。即ち、その上端側部に配した結合突起８、８は、予め螺合してある複数対のナット部材９、９…の内、適当な位置にあるそれらの間に装入しながら、該位置の取付用ボルト部材１０を該結合突起８、８間に挿入状態とするものであり、該当する一対のナット部材９、９の位置が所望の位置からずれている場合には、それらを動かしてより適切な位置にしてからその取付作業を行うことができる。
【００４２】
また、結合突起８、８の両側のナット部材９、９が緩んだ状態では、該結合突起８、８は、以上のように、取付用ボルト部材１０の軸方向に移動させることも可能であるが、更に、図４(c)中の矢印ａ３に示すように、その軸周りに回動させて取付角度を種々に設定することも可能である。加えて同図中矢印ａ４に示すように、該結合突起８、８の長さ方向に取付用ボルト部材１０との取付位置を変えることも可能である。いずれにしても、それらの状態は、両側のナット部材９、９を、図４(a)〜(c)に示すように、締め付けることにより固定することができる。
【００４３】
なお、以上のようにして、取付用ボルト部材１０に対するシリンダ５の長さ方向の取付位置、高さ、或いは角度を種々に変更しうることは、図５に略示するように、例えば、要指圧部位が身体Ｂの背面Ｈから側面Ｓにかけてであるような場合に、多数のシリンダ５、５…の各々の高さ、横方向の位置及び角度をそれぞれ対応するように変更しうる利点がある。
【００４４】
＜指圧装置への適用例１＞
指圧装置Ｘへの適用例を説明する。
この指圧装置Ｘは、図６に示すように、基本的に、前後の脚体１１、１１、該両脚体１１、１１の上部間を連結する中央フレーム部材１２及び該両脚体１１、１１の下部間を連結する補強フレーム部材１３からなる装置本体１４と、該中央フレーム部材１２の両側に突出させた各一対のアーム部材１５、１５…と、両側の各一対のアーム部材１５、１５…の先端間に、各アーム部材１５、１５の先端に配した角度調整手段１６、１６を介して接続した取付用ボルト部材（長尺取付部材）１０と、該取付用ボルト部材１０の複数の部位に前記結合突起８、８及びナット部材９、９により取り付けた複数の指圧用押圧機１、１…と、で構成したものである。
【００４５】
前記装置本体１４は、先に述べ、図６に示すように、その中央フレーム１２の両側に各一対のアーム部材１５、１５を突出させ、これら及び若干の部材を介して多数の指圧用押圧機１、１…を支持するものであり、各部を十分な強度を有する鋼材で構成し、また安定性を保持する趣旨で、その脚体１１、１１の下端には、両側に長く延びる鍔体１１ａ、１１ａを配しておくものとする。
【００４６】
前記アーム部材１５、１５…は、図６に示すように、それぞれ伸縮が二箇所で行われる構造になっている。各アーム基部１５ａは下部側にレール部１５ａ１が構成してあり、これにスライダ１５ａ２が摺動自在に外装結合状態となっている。各一対のアーム部材１５、１５の一方のアーム基部１５ａには、電磁ブレーキ１５ａｂが付設してあり、スライダ１５ａ２の動き、即ち、該当する一対のアーム部材１５、１５の該当する部位の伸縮状態はこれによって固定することができるようになっている。
【００４７】
スライダ１５ａ２、１５ａ２には、それぞれ結合帯片１５ａ３が長さ方向に直交する向きに固設してあり、その結合帯片１５ａ３の先端にはこれと直交する向きのアーム前部１５ｂの一部を構成する筒状レール部材１５ｂ１が固設してあり、かつ該筒状レール部材１５ｂ１には、各々伸縮棒材１５ｂ２が進退自在に挿入してある。該伸縮棒材１５ｂ２の筒状レール部材１５ｂ１に対する進退状態は、該筒状レール部材１５ｂ１の先端に配してある固定ネジ１５ｂｂをねじ込むことで固定できるようになっている。
【００４８】
前記角度調整手段１６、１６は、公知のドラムブレーキ装置を利用して構成したものであり、図６に示すように、各一対のアーム部材１５、１５毎のアーム前部１５ｂの伸縮棒材１５ｂ２の先端側部に、相互に対面状態にケーシングで固設してあるものである。また前記取付用ボルト部材１０の両端は、同図に示すように、該角度調整手段１６、１６の回転軸と着脱自在に結合できるようになっており、ブレーキが掛かっていない状態では、該取付用ボルト部材１０は、自由に自転可能である。該角度調整手段１６、１６は、その内部のブレーキシューで前記回転軸と同軸かつ一体に構成されているドラムを強く挟持してその回転を停止すべくブレーキを掛けることができるようになっており、前記回転軸に結合した取付用ボルト部材１０の自転状態を適切な角度に固定できる。角度調整手段１６、１６の制動操作は、それぞれに小型のエアシリンダを付設しておき、これを操作することにより行う。該エアシリンダは、云うまでもなく、図示しないコンプレッサからの圧縮空気で駆動する。
【００４９】
前記取付用ボルト部材１０は、先に述べたように、指圧対象者の連続する要指圧部位の存在するラインに対応すべく予め屈曲させておくことができる。
また該取付用ボルト部材１０には、前記したように、指圧用押圧機１、１…を取り付ける。取り付け方は先に述べたとおりである。特定の個人の体形に合わせてその角度や高さを自在に変えてそれぞれの指圧用押圧機１、１…を取り付けることができる。該指圧用押圧機１、１…のエアシリンダ５、５…には、云うまでもなく、図示しないコンプレッサをエアホースを介して接続し、その圧縮空気で駆動する。
【００５０】
従ってこの指圧装置Ｘによれば、補強フレーム部材１３を跨ぐ状態で可動ベッドを位置させ、必要に応じてその高さを調節し、前記両側の各一対のアーム部材１５、１５を伸縮させて適切に位置決めし、両側の各一対の角度調整手段１６、１６の回転角度を適切に調節して固定すれば、前記のように、指圧用押圧機１、１…は、それぞれ適切な角度及び高さ等に調節してあるので、該可動ベッドの上に載って俯せになった指圧対象者の両側部の指圧対象部位を、同時に又は順次的に指圧することができる。指圧の方向や角度も適切になっており効果的な指圧を行うことができる。シリンダ５、５…の向きその他が不適切であれば簡単に調節することができる。
【００５１】
なお、複数のシリンダ５、５…の順次的な伸縮動作等は制御手段によって所望の種々の態様で制御が可能である。また個々のシリンダ５の伸長押圧動作も制御手段によって種々の態様でコントロール可能であるが、これは、押圧動作はゆっくりと時間を掛けて行い、離れる短縮動作はスピーディに行うのが適切であり、そのようにコントロールする。なお又前記アーム基部１５ａに付設した電磁ブレーキ１５ａｂ及び前記角度調整手段１６に付設したエアシリンダは、それぞれ図示しない操作盤に配した押しボタンスイッチによって操作するように構成してある。
【００５２】
こうしてこの指圧装置Ｘは、前記指圧用押圧機１、１…を用いることにより、指圧対象者の指圧対象部位がどのような位置であっても、装置に適切な高さや角度及び向きで取り付け可能であり、適切な指圧動作を行わせることが可能になる。
【００５３】
＜指圧装置への適用例２＞
指圧装置Ｙへの適用例を説明する。
この指圧装置Ｙは、図７に示すように、基本的に、図示しない前後の脚体、該両脚体の上部間を連結する一対のガイドレール２１、２１及び該両脚体の下部間を連結する図示しない補強フレーム部材からなる装置本体２２と、前記一対のガイドレール２１、２１にスライド移動自在に配した複数の主スライダ２３、２３…を介して取り付けた幅広な支持腕部材２４と、該支持腕部材２４の両側下部に配した二本の腕用レール部材２５、２５と、該二本の腕用レール部材２５、２５に移動自在に配した各腕スライダ２６、２６を介して垂下させた各一つの伸縮手段２７と、各伸縮手段２７、２７で二つの端部フレーム２８ａ、２８ａの各々を吊り下げた四辺形のフレーム部材２８と、該四辺形のフレーム部材２８の両端部フレーム２８ａ、２８ａで支持した複数の取付用ボルト部材１０、１０…と、該複数の取付用ボルト部材１０、１０…のそれぞれ複数の部位に取り付けた指圧用押圧機１、１…と、で構成したものである。
【００５４】
前記支持腕部材２４は、その基部のヒンジ部２４ａ、２４ａで起伏自在に構成してあり、使用時以外は、その先端側を起こして装置本体２２の上部に反転状態にさせておくことができる。該支持腕部材２４の先端中央には結合片２４ｂを、基部後方には方向変更用のガイド部材２４ｃを、それぞれ配し、該ガイド部材２４ｃの下方には装置本体２２の一部にスプリングバランサ２９を固設しておき、該スプリングバランサ２９から引き出したワイヤｗを上方に延長し、前記ガイド部材２４ｃに掛け渡し、方向を変えた上で、更に延長し、その先端を前記結合片２４ｂに結合してある。これによって前記支持腕部材２４を起こす際の支援作用を行い、使用者が容易に起立させうるようにしたものである。
【００５５】
前記主スライダ２３、２３…及び腕スライダ２６、２６は、それぞれガイドレール２１、２１又は腕用レール部材２５、２５にスライド移動自在であると共に、所望の位置に固定可能に構成してある。それぞれの固定は、図示しない電磁ブレーキによって行うようになっている。
【００５６】
前記伸縮手段２７、２７は、上下方向に伸縮するための手段であり、これが支持する支持対象であるフレーム部材２８の高さを調節するための手段である。該伸縮手段２７、２７は、公知の手段であるが、中央に配した図示しないスクリュウを回転させることで上下方向に伸縮できるようになっているものである。
【００５７】
前記フレーム部材２８は、図７に示すように、一対の端部フレーム２８ａ、２８ａとその両端間を接続する二つの側部フレーム２８ｂ、２８ｂとで構成した四辺形の部材であり、該一対の端部フレーム２８ａ、２８ａは、その中央に長さ方向に沿って取付用のスリットが形成してある。
【００５８】
前記取付用ボルト部材１０、１０…は、図７に示すように、前記フレーム部材２８の一対の端部フレーム２８ａ、２８ａのスリットに貫通させ、それぞれその両側に螺合してあるナット部材９、９…で該端部フレーム２８ａ、２８ａを締め付けて固定する。必要数の取付用ボルト部材１０、１０…を所定の位置に取り付ける。これらの取付用ボルト部材１０、１０…は、前記のように、指圧用押圧機１、１…を適切な位置関係で取り付ける手段である。これらの複数の取付用ボルト部材１０、１０…に取り付けた多数の指圧用押圧機１、１…で俯せになった指圧対象者の背中の各部を指圧するものであり、取付用ボルト部材１０、１０…は、それぞれ指圧対象者の連続する指圧対象部位の並んだラインに対応すべく屈曲した形状としておくものとする。例えば、肩甲骨に沿った形状に屈曲し、或いは、背骨に沿った形状に屈曲する。若しくは、臀部の該当部位に沿った形状に屈曲しておくものとする。
【００５９】
また該取付用ボルト部材１０には、前記したように、指圧用押圧機１、１…を取り付ける。取り付け方は先に述べたとおりである。特定の個人の体形に合わせてその角度や高さを自在に変えてそれぞれの指圧用押圧機１、１…を取り付けることができる。該指圧用押圧機１、１…のエアシリンダ５、５…には、この場合も、当然に、図示しないコンプレッサをエアホースを介して接続し、その圧縮空気で駆動する。
【００６０】
従ってこの指圧装置Ｙによれば、まず、可動ベッドをその上に俯せになった指圧対象者の指圧対象部位が前記フレーム部材２８の下方の適切な位置に位置することとなるように配する。これは、実際に指圧対象者がその上に載って俯せになった際に、可動ベッドを動かして調節する。また前記主スライダ２３、２３…及び腕スライダ２６、２６を動かして前記フレーム部材２８の位置を調節し、前記伸縮手段２７、２７を伸縮調節して、その高さを調節することもできる。最も適切な位置関係でいずれも固定することができる。
【００６１】
前記のように、指圧用押圧機１、１…は、それぞれ適切な角度及び高さ等に調節してあるので、該可動ベッドの上に載って俯せになった指圧対象者の背中の指圧対象部位を順次的に適切に指圧することができる。指圧の方向や角度も適切になっており効果的な指圧を行うことができる。なお、シリンダ５、５…の向きその他が不適切であれば簡単に調節することができるのは云うまでもない。
【００６２】
なお、複数のシリンダ５、５…の順次的な動作等は、指圧装置Ｘの場合と同様に、制御手段によって所望の種々の態様で制御が可能である。また個々のシリンダ５の伸長による押圧動作も制御手段によって種々の態様でコントロール可能であるが、これは、押圧動作はゆっくりと時間を掛けて行い、短縮による離れる動作はスピーディに行うのが適切であり、この指圧装置Ｙでもそのようにコントロールする。
【００６３】
こうしてこの指圧装置Ｙは、前記指圧用押圧機１、１…を用いることにより、指圧対象者の指圧対象部位がどのような位置であっても、装置に適切な高さや角度及び向きで取り付け可能であり、適切な指圧動作を行わせることが可能になる。
【図面の簡単な説明】
【００６４】
【図１】(a)は実施例の指圧用押圧機を取付用ボルト部材に取り付けた状態の概略斜視図、(b)は圧力調整部材の拡大断面説明図。
【図２】(a)は結合突起と一体に構成した連結板部の正面図、(b)は背面図、(c)は左側面図、(d)は右側面図、(e)は平面図、(f)は底面図、(g)は正面側から見た斜視図、(h)は背面側から見た斜視図、(i)は予め複数対のナット部材を螺合した状態の取付用ボルト部材の一部の側面図。
【図３】(a)は取付手段の正面図、(b)は背面図、(c)は左側面図、(d)は平面図、(e)は底面図。
【図４】(a)は取付用ボルト部材に取り付けた状態の指圧用押圧機を示す平面図、(b)は取付用ボルト部材に取り付けた状態の指圧用押圧機を示す正面図、(c)は取付用ボルト部材に取り付けた状態の指圧用押圧機を示す側面図。
【図５】指圧対象者の背中の中央付近から側部までの指圧のために配するシリンダの角度及び高さを示した説明図。
【図６】実施例の指圧用押圧機を取り付けた指圧装置の概略斜視図。
【図７】実施例の指圧用押圧機を取り付けた他の例の指圧装置の概略斜視図。
【符号の説明】
【００６５】
１    指圧用押圧機
２    指圧用先端部材
２ａ  当接部材
２ｂ  ストッパ部
２ｃ  連結シャフト部
２ｃｇ  規制溝
３    圧力調整部材
３ａｍ  雌ねじ部
３ａｋ  進退空間
３ａ  円柱状本体
３ａｂ  圧縮バネ
３ａｎ  規制ネジ
４    シリンダロッド
４ａ  雄ねじ部
４ａ  シリンダロッドの下端の雄ねじ部
５    エアシリンダ
５ａ  エアシリンダの上端のエア接続部
５ｂ  エアシリンダの下端のエア接続部
６    取付手段
６ａ  取付板部
６ａｈ  取付穴
６ｂ  シリンダ固定板部
６ｂｈ  貫通孔
７    連結板部
７ｓ  係止用スリット
８    結合突起（自在結合手段）
９    ナット部材
１０  取付用ボルト部材
１１  脚体
１１ａ  鍔体
１２  中央フレーム部材
１３  補強フレーム部材
１４  装置本体
１５  アーム部材
１５ａ  アーム基部
１５ａ１  レール部
１５ａ２  スライダ
１５ａｂ  電磁ブレーキ
１５ａ３  結合帯片
１５ｂ  アーム前部
１５ｂ１  筒状レール部材
１５ｂ２  伸縮棒材
１５ｂｂ  固定ネジ
１６  角度調整手段
２１  ガイドレール
２２  装置本体
２３  主スライダ
２４  支持腕部材
２４ａ  ヒンジ部
２４ｂ  結合片
２４ｃ  ガイド部材
２５  腕用レール部材
２６  腕スライダ
２７  伸縮手段
２８  フレーム部材
２８ａ  端部フレーム
２８ｂ  側部フレーム
２９  スプリングバランサ
Ｂ    身体
Ｈ    身体の背面
Ｎ    固定ナット
Ｓ    身体の側面
Ｘ    指圧装置
Ｙ    指圧装置
ａ１  矢印
ａ２  矢印
ａ３  矢印
ａ４  矢印
ｂ    ボルト
ｎ    ナット
ｗ    ワイヤ
【図１】
2010029492.tif 000003
【図２】
2010029492.tif 000004
【図３】
2010029492.tif 000005
【図４】
2010029492.tif 000006
【図５】
2010029492.tif 000007
【図６】
2010029492.tif 000008
【図７】
2010029492.tif 000009